(57)【特許請求の範囲】
【請求項１】
コンピュータが備えるプロセッサが実行する、
所定の決済手段による決済を可能とする第１ログイン情報を取得したことに応じて、前記所定の決済手段に関するサービスに関する情報を表示する第１画面を端末に表示させるステップと、
購入可能な商品を選択するためのショッピングページに対応し、前記第１画面と異なる第２画面を前記端末に表示させるステップと、
前記第２画面において選択された商品の決済画面を前記端末に表示させる場合に前記第１ログイン情報に対応する情報が前記コンピュータの記憶部に記憶され、前記第１ログイン情報によるログイン状態が保持されているか否かを判定することにより、前記第１画面を介することなく前記第２画面が表示された状態で当該商品が選択されたか、前記第１画面を介して前記第２画面が表示された状態で当該商品が選択されたかを判定し、前記第１画面を介することなく前記第２画面が表示された状態で前記商品が選択されたと判定した場合に、決済用の第２ログイン情報を受け付けるログイン画面を前記端末に表示させ、前記ログイン画面を介して前記第２ログイン情報を取得したことを条件として前記商品の決済を可能にすると判定し、前記第１画面を介して前記第２画面が表示された状態で前記商品が選択されたと判定した場合に、前記第２ログイン情報を取得することなく前記所定の決済手段での前記商品の決済を可能にすると判定するステップと、
を備える決済管理方法。
【請求項２】
前記判定するステップにおいて、前記第１画面を介することなく前記第２画面が表示された状態で前記商品が選択されたと判定した場合に、前記所定の決済手段を含む複数の決済手段から一の決済手段の選択を受け付け、一の決済手段が選択されたことに応じて前記第２ログイン情報を取得する、
請求項１に記載の決済管理方法。
【請求項３】
前記判定するステップにおいて、前記第１画面を介して前記第２画面が表示された状態で前記商品が選択されたと判定した場合に、所定時間以上にわたって前記第１画面又は前記第２画面における操作が行われていないときには、前記第２ログイン情報を取得したことを条件として前記商品の決済を可能にすると判定する、
請求項１又は２に記載の決済管理方法。
【請求項４】
前記所定の決済手段は、プリペイドカードによる決済であり、
前記第１画面を表示させるステップにおいて、前記第１画面に前記プリペイドカードの残高を表示させ、
前記第２画面を表示させるステップにおいて、前記第１画面を介して前記第２画面が表示される場合には、前記プリペイドカードの残高に基づいて選択した前記商品を前記第２画面に表示させる、
請求項１又は２に記載の決済管理方法。
【請求項５】
前記所定の決済手段は、クレジットカードによる決済であり、
前記第１画面を表示させるステップにおいて、前記第１画面に前記クレジットカードの利用可能額を表示させ、
前記第２画面を表示させるステップにおいて、前記第１画面を介して前記第２画面が表示される場合には、前記利用可能額に基づいて選択した前記商品を前記第２画面に表示させる、
請求項１又は２に記載の決済管理方法。
【請求項６】
前記第１画面を表示させるステップにおいて、前記端末のユーザが前記商品の決済に使用可能なポイントの残高を表示させ、
前記第２画面を表示させるステップにおいて、前記第１画面を介して前記第２画面が表示される場合には、前記ポイントの残高に基づいて選択した前記商品を前記第２画面に表示させる、
請求項１から４のいずれか１項に記載の決済管理方法。
【請求項７】
前記第２画面を表示させるステップにおいて、前記第１画面を介して前記第２画面が表示される場合には、前記ポイントの残高に対応する決済可能額と、前記所定の決済手段における決済可能額との合算値に基づいて選択した前記商品を前記第２画面に表示させる、
請求項６に記載の決済管理方法。
【請求項８】
前記第２画面を表示させるステップにおいて、前記第１画面を介して前記第２画面が表示される場合には、前記端末のユーザが使用する傾向が高い決済手段を特定し、特定した決済手段に対応する使用状況に基づいて選択した前記商品を前記第２画面に表示させる、
請求項１から４のいずれか１項に記載の決済管理方法。
【請求項９】
前記第２画面を表示させるステップにおいて、前記第１画面を介して前記第２画面が表示された状態で、前記商品の決済に使用する決済手段の選択を受け付け、前記所定の決済手段とは異なる決済手段が選択されたことに応じて前記第２ログイン情報を取得する、
請求項１から８のいずれか１項に記載の決済管理方法。
【請求項１０】
所定の決済手段による決済を可能とする第１ログイン情報を取得したことに応じて、前記所定の決済手段に関するサービスに関する情報を表示する第１画面を端末に表示させる第１表示制御部と、
前記第１ログイン情報に対応する情報を記憶する記憶部と、
購入可能な商品を選択するためのショッピングページに対応し、前記第１画面と異なる第２画面を前記端末に表示させる第２表示制御部と、
前記第２画面において選択された商品の決済画面を前記端末に表示させる場合に前記第１ログイン情報に対応する情報が前記記憶部に記憶され、前記第１ログイン情報によるログイン状態が保持されているか否かを判定することにより、前記第１画面を介することなく前記第２画面が表示された状態で当該商品が選択されたか、前記第１画面を介して前記第２画面が表示された状態で当該商品が選択されたかを判定し、前記第１画面を介することなく前記第２画面が表示された状態で前記商品が選択されたと判定した場合に、決済用の第２ログイン情報を受け付けるログイン画面を前記端末に表示させ、前記ログイン画面を介して前記第２ログイン情報を取得したことを条件として前記商品の決済を可能にすると判定し、前記第１画面を介して前記第２画面が表示された状態で前記商品が選択されたと判定した場合に、前記第２ログイン情報を取得することなく前記所定の決済手段での前記商品の決済を可能にすると判定する判定部と、
を備える決済管理装置。
【発明の詳細な説明】
【技術分野】
【０００１】
本発明は、決済管理方法及び決済管理装置に関する。
【背景技術】
【０００２】
従来、クレジットカードやプリペイドカードの利用に応じて、ポイントを付加することが行われている。例えば、特許文献１には、携帯電話からサーバにログインすることにより、累積ポイント数を確認可能な管理画面が表示され、累積ポイント数の範囲で、ポイントを所望の商品やギフト券等に交換できることが開示されている。
【先行技術文献】
【特許文献】
【０００３】
【特許文献１】特開２００６−２６８３７６号公報
【発明の概要】
【発明が解決しようとする課題】
【０００４】
ところで、特許文献１に示すような管理画面から、クレジットカードのポイントを所望の商品やギフト券等に交換することができる他に、クレジットカードによる決済が可能なショッピングサイト等の電子商取引のサイトにユーザを誘導して、当該ユーザにクレジットカードの利用を促進させることが行われている。しかしながら、ショッピングサイトで商品を選択して決済する場合、ユーザは、決済画面でログインする必要がある。したがって、ユーザは、管理画面を表示させるためにログインしているにもかかわらず、商品の決済時に再度ログインする必要があり、商品の購入手続が煩雑であるという問題があった。
【０００５】
本発明は、このような問題に鑑みてなされたものであり、端末のユーザに、電子商取引のサイトにおける商品購入を円滑に行わせることができる決済管理方法及び決済管理装置を提供することを目的とする。
【課題を解決するための手段】
【０００６】
本発明の第１の態様に係る決済管理方法は、所定の決済手段による決済を可能とする第１ログイン情報を取得したことに応じて第１画面を端末に表示させるステップと、購入可能な商品を選択するための第２画面を端末に表示させるステップと、前記第１画面を介することなく前記第２画面が表示された状態で前記商品が選択された場合に、決済用の第２ログイン情報を取得したことを条件として前記商品の決済を可能にすると判定し、前記第１画面を介して前記第２画面が表示された状態で前記商品が選択された場合に、前記第２ログイン情報を取得することなく前記所定の決済手段での前記商品の決済を可能にすると判定するステップと、を備える。
【０００７】
前記決済管理方法では、前記判定するステップにおいて、前記第１画面を介することなく前記第２画面が表示された状態で前記商品が選択された場合に、前記所定の決済手段を含む複数の決済手段から一の決済手段の選択を受け付け、一の決済手段が選択されたことに応じて前記第２ログイン情報を取得してもよい。
【０００８】
前記決済管理方法では、前記判定するステップにおいて、前記第１画面を介して前記第２画面が表示された状態で前記商品が選択された場合に、所定時間以上にわたって前記第１画面又は前記第２画面における操作が行われていないときには、前記第２ログイン情報を取得したことを条件として前記商品の決済を可能にすると判定してもよい。
【０００９】
前記所定の決済手段は、プリペイドカードによる決済であり、前記決済管理方法では、前記第１画面を表示させるステップにおいて、前記第１画面に前記プリペイドカードの残高を表示させ、前記第２画面を表示させるステップにおいて、前記第１画面を介して前記第２画面が表示される場合には、前記プリペイドカードの残高に基づいて選択した前記商品を前記第２画面に表示させてもよい。
【００１０】
前記所定の決済手段は、クレジットカードによる決済であり、前記決済管理方法は、前記第１画面を表示させるステップにおいて、前記第１画面に前記クレジットカードの利用可能額を表示させ、前記第２画面を表示させるステップにおいて、前記第１画面を介して前記第２画面が表示される場合には、前記利用可能額に基づいて選択した前記商品を前記第２画面に表示させてもよい。
【００１１】
前記決済管理方法では、前記第１画面を表示させるステップにおいて、前記端末のユーザが前記商品の決済に使用可能なポイントの残高を表示させ、前記第２画面を表示させるステップにおいて、前記第１画面を介して前記第２画面が表示される場合には、前記ポイントの残高に基づいて選択した前記商品を前記第２画面に表示させてもよい。
【００１２】
前記決済管理方法では、前記第２画面を表示させるステップにおいて、前記第１画面を介して前記第２画面が表示される場合には、前記ポイントの残高に対応する決済可能額と、前記所定の決済手段における決済可能額との合算値に基づいて選択した前記商品を前記第２画面に表示させてもよい。
【００１３】
前記決済管理方法では、前記第２画面を表示させるステップにおいて、前記第１画面を介して前記第２画面が表示される場合には、前記端末のユーザが使用する傾向が高い決済手段を特定し、特定した決済手段に対応する使用状況に基づいて選択した前記商品を前記第２画面に表示させてもよい。
【００１４】
前記決済管理方法では、前記第２画面を表示させるステップにおいて、前記第１画面を介して前記第２画面が表示された状態で、前記商品の決済に使用する決済手段の選択を受け付け、前記所定の決済手段とは異なる決済手段が選択されたことに応じて前記第２ログイン情報を取得してもよい。
【００１５】
本発明の第２の態様に係る決済管理装置は、所定の決済手段による決済を可能とする第１ログイン情報を取得したことに応じて第１画面を端末に表示させる第１表示制御部と、購入可能な商品を選択するための第２画面を端末に表示させる第２表示制御部と、前記第１画面を介することなく前記第２画面が表示された状態で前記商品が選択された場合に、決済用の第２ログイン情報を取得したことを条件として前記商品の決済を可能にすると判定し、前記第１画面を介して前記第２画面が表示された状態で前記商品が選択された場合に、前記第２ログイン情報を取得することなく前記所定の決済手段での前記商品の決済を可能にすると判定する判定部と、を備える。
【発明の効果】
【００１６】
本発明によれば、端末のユーザに、電子商取引のサイトにおける商品購入を円滑に行わせることができるという効果を奏する。
【図面の簡単な説明】
【００１７】
【図１】本発明の電子通貨管理システムの概要を示す図である。
【図２】電子通貨管理システムのシステム構成を示す図である。
【図３】カード管理サーバ及びキャリアサーバで管理する情報を示す図である。
【図４】ポイント管理サーバで管理する情報を示す図である。
【図５】ユーザ端末の表示画面例を示す図である。
【図６】ユーザ端末のメニュー画面の例を示す図である。
【図７】カードにチャージする際の動作を示す図である。
【図８】カードを用いて商品を購入する際の動作を示す図である。
【図９】ユーザに対してポイントを付与する際の動作を示す図である。
【図１０】ユーザに対してユーザ固有のサービスを提供する際の動作を示す図である。
【図１１】キャリアサーバの構成を示す図である。
【図１２】キャリアサーバが第２画面において商品の決済を行う際のフローチャートである。
【発明を実施するための形態】
【００１８】
［電子通貨管理システムＳの概要］
初めに、図１を参照して、電子通貨管理システムＳの概要について説明する。電子通貨管理システムＳは、ユーザがカード１１を用いて使用することができる電子通貨の残高を管理し、ユーザの携帯電話（以下、ユーザ端末１２）からカード１１の管理を可能にするシステムである。電子通貨とは、クレジット、ポイント及びクーポン等のように、金銭価値を有する無形の通貨である。カードは、例えば、電子通貨を用いて商品やサービスを購入する際に使用できるクレジットカード又はプリペイドカードである。
【００１９】
ユーザは、予めカード１１に関連付けられた口座に電子通貨を貯めて、商品やサービスを購入する際に、カード１１を用いて、当該口座に格納された電子通貨を使用することができる。電子通貨管理システムＳでは、ユーザ端末１２が、例えば携帯電話網の基地局を介してアクセス可能な電子通貨管理装置１０においてカード１１とユーザ端末１２とを連携させることで、ユーザ端末１２を用いたカード管理を実現している。具体的には、電子通貨管理システムＳでは、ユーザが使用するユーザ端末やカードの利用履歴を一元的に管理するとともに、当該ユーザ端末やカードの利用に伴ってユーザに付与されるポイントを一元的に管理する。また、電子通貨管理システムＳでは、ユーザ端末１２を用いて、プリペイド式のカードへのチャージ（入金）や、カード残高、付与されたポイント及び利用履歴の確認等を実現している。
【００２０】
ユーザは、多様な方法で電子通貨を貯めることができる。ユーザは、例えば、カード１１に設定されたカード番号によって指定される口座に現金を振り込んでチャージすることにより電子通貨を貯めることができる。また、ユーザは、カード１１を用いて現実店舗やオンライン店舗で買い物をして、購入額等に応じたポイントを受け取ることにより、電子通貨を貯めることもできる。ユーザは、カード１１に関連付けられた電子通貨の残高を、ユーザ端末１２から確認することができるので、電子通貨を貯めて、様々な用途で利用する意欲が高まる。
以下、電子通貨管理システムＳを実現するための具体的な構成の一例について説明する。
【００２１】
［電子通貨管理システムＳのシステム構成］
図２は、電子通貨管理システムＳのシステム構成の一例を示す図である。図２に示すように、電子通貨管理システムＳは、ユーザ機器１と、ユーザ機器１がアクセス可能な電子通貨管理装置１０と、を含んで構成される。電子通貨管理装置１０は、カード管理サーバ２と、キャリアサーバ３と、ポイント管理サーバ４と、を含んで構成される。
【００２２】
ユーザ機器１は、電子通貨管理システムＳが提供するサービスを利用する各ユーザが用いる機器であり、カード１１と、ユーザ端末１２と、を含む。
【００２３】
カード１１は、国際ブランドの決済ＮＷ５０を利用して決済を行うカードであり、クレジットカード決済により利用額を後払いすることができるクレジットカード、予めチャージしておいた金額に基づいて利用額の決済を行うことができるプリペイドカード、又は、チャージ額を後払いするポストペイ型カードである。なお、カード１１として、これらの決済方式のいずれかを選択可能な統合型のカードを用いることとしてもよい。
【００２４】
ユーザ端末１２は、通信キャリアが提供する通信ＮＷを介して通信（通話）を行う通信装置であり、例えば、携帯電話、スマートフォン、タブレットＰＣ等である。ユーザ端末１２には、所定のアプリケーションプログラムがインストールされており、当該プログラムに基づき実行されるアプリケーションを介して、ユーザ端末１２からカード１１の管理をすることができる。
【００２５】
カード管理サーバ２は、カード１１の利用履歴として、プリペイド方式の決済に対応する利用履歴と、クレジットカード決済に対応する利用履歴とをユーザ毎に管理するサーバであり、カード管理手段として機能する。カード管理サーバ２は、当該カード１１に関する情報を記憶する。ここで、図３（Ａ）及び図３（Ｂ）にカード管理サーバ２に記憶される各種情報の一例を示す。図３（Ａ）に示すように、カード管理サーバ２では、管理番号に関連付けてプリペイドカード番号、残高、及び利用履歴等の各種情報を記憶する。また、図３（Ｂ）に示すように、カード管理サーバ２では、管理番号に関連付けてクレジットカード番号、利用額、及び利用履歴等の各種情報を記憶する。以下、プリペイドカード番号及びクレジットカード番号の双方を示すとき、単に「カード番号」と呼ぶ。
【００２６】
カード番号は、カード１１に設定された概ね１６桁の英数字からなる番号であり、カード１１を識別するための識別情報である。管理番号は、カード番号に対して一意に対応する番号であり、他サーバと連携する際にカード番号に代えてカード１１を識別するために用いられる。
【００２７】
残高は、カード１１に設定されたプリペイドカード番号によって指定される口座にチャージされた金額の残高を示す情報である。利用額は、カード１１に設定されたクレジットカード番号によって所定期間内（例えば、締日から１カ月間）に決済された金額の合計を示す情報である。利用履歴は、カード１１を用いた買い物の履歴であり、購入日時、購入対象の商品／サービス、購入額、購入場所（店舗名）等を含む。
【００２８】
キャリアサーバ３は、通信キャリアが用いるサーバであり、ユーザ端末１２の利用に伴い請求する請求額を管理する請求手段として機能する。ユーザ端末の利用とは、例えば携帯電話を使用したコンテンツ又は商品購入の決済及び通信料金に伴う利用を含む。キャリアサーバ３は、通信キャリアが提供するサービスのユーザ端末１２の利用履歴をユーザ毎に管理する。キャリアサーバ３は、利用履歴に基づいて、ユーザに対する請求額を算出する。また、キャリアサーバ３は、ユーザ端末１２に対して、ポイントを利用可能なサービスを提供するサービス提供手段として機能する。即ち、キャリアサーバ３は、通信キャリアが提供するサービスをユーザ端末１２に提供する入口（ポータル）として機能する。キャリアサーバ３は、ユーザ端末１２からの要求に応じて、ユーザＩＤに関連付けられたカード番号に対応する口座に貯まっている電子通貨の残高をポイント管理サーバ４から取得し、ユーザ端末１２に電子通貨の残高を通知することができる。また、キャリアサーバ３は、ユーザＩＤに関連付けられたポイントをポイント管理サーバ４から取得し、ユーザ端末１２にポイントの残高を通知してもよい。
【００２９】
ここで、図３（Ｃ）にキャリアサーバ３において管理される各種情報の一例を示す。図３（Ｃ）に示すように、キャリアサーバ３では、ユーザＩＤに関連付けて、ユーザ端末１２の電話番号、請求額、契約ＩＤ、及び契約者名等の各種情報を記憶する。
ユーザＩＤは、ユーザ端末１２又は当該ユーザ端末１２を用いるユーザを識別する識別情報である。電話番号は、通信端末であるユーザ端末１２に設定された電話番号である。請求額は、ユーザ端末１２の利用に伴いユーザに対して請求する金額であり、例えば、通信料金、ユーザ端末１２で利用したコンテンツの利用料金を含む。なお、通信キャリアによっては、携帯電話だけでなく、固定電話やケーブルテレビ等の複合的なサービスをユーザに提供することがあるため、請求額には、ユーザＩＤが示すユーザに対して提供しているサービスに関する料金を含めることとしてもよい。また、契約ＩＤは、通信キャリアと結んだ契約を識別する識別情報であり、契約者が、当該契約を行ったことを示す情報である。通信キャリアでは、通信料金を同一人又は家族の範囲でまとめて請求することがある。契約ＩＤ及び契約者名は、通信料金の請求をまとめる範囲、及びまとめた通信料金を請求する対象を判別するための情報である。
【００３０】
なお、図示しないものの、キャリアサーバ３は、ユーザＩＤに関連付けて、ユーザ端末１２の契約期限、契約日時等の契約に関する情報、また、ユーザ端末１２の利用に応じた請求額の支払いが済んでいる／遅延しているといった通信料金の支払いに関する情報を記憶することとしてもよい。
【００３１】
ポイント管理サーバ４は、カード管理サーバ２が管理するカードの利用履歴を取得するとともに、キャリアサーバ３が管理するユーザ端末１２の請求額を取得し、ユーザ端末１２のユーザに関連付けて管理する統合管理手段として機能する。また、ポイント管理サーバ４は、カード１１の利用（例えば、カードを用いた買い物）の履歴に基づき付与されるポイントと、ユーザ端末１２又はユーザＩＤが示すユーザに対して提供しているサービスの利用によって発生する請求額に基づき付与されるポイントとを統合して、ユーザに関連付けて管理するサーバである。ここで、図４（Ａ）及び図４（Ｂ）にポイント管理サーバ４において管理される各種情報の一例を示す。
図４（Ａ）に示すように、ポイント管理サーバ４では、管理番号及びユーザＩＤに関連付けて、ポイント、及び明細情報等の各種情報を記憶する。ユーザＩＤは、ユーザ端末１２を用いるユーザを識別する識別情報であり、キャリアサーバ３と連携する際に用いられる。管理番号は、カード番号に一意に対応する番号であり、カード管理サーバ２と連携する際に用いられる。ポイントは、キャリアサーバ３から取得した請求額、及びカード管理サーバ２から取得したカード１１の利用履歴（即ち、購入した商品の決済金額）に基づき、対応するユーザに対して付与されたポイント数を示す情報である。明細情報は、カード１１及びポイントの利用履歴やキャリアサーバ３が管理するユーザ端末１２の請求額を含む情報であり、カード１１を用いた買い物の履歴、及びユーザに対して付与されたポイントの履歴を示す。
【００３２】
また、図４（Ｂ）に示すように、ポイント管理サーバ４では、購入額や請求額に基づいて付与するポイントを算出するためのポイント付与レートを、利用形態に関連付けて記憶する。利用形態としては、カード１１の利用又はユーザ端末１２の利用が考えられるが、これら以外にも、カード１１を利用した店舗が通常店であるか、ポイント優遇店であるか等に応じて、レートを異ならせることとしてもよい。なお、カード１１を利用した店舗を示す情報は、カード管理サーバ２から利用履歴を受信することで、取得することができる。
【００３３】
ポイント管理サーバ４は、カード管理サーバ２がプリペイドカード番号に関連付けて管理する電子通貨の残高を、ユーザＩＤに関連付けて記憶してもよい。この場合、ポイント管理サーバ４は、カード管理サーバ２において電子通貨の残高が更新されたタイミングに同期して、記憶している電子通貨の残高を更新する。ポイント管理サーバ４は、ユーザ端末１２からの要求に応じて、当該ユーザ端末１２に対応するユーザＩＤに関連付けて記憶した電子通貨の残高を記憶部から読み出し、キャリアサーバ３を介して、電子通貨の残高をユーザ端末１２に通知することができる。なお、ポイント管理サーバ４は、ユーザ端末１２から電子通貨の残高を要求されたタイミングで、カード管理サーバ２からユーザＩＤに対応するプリペイドカード番号に関連付けられた電子通貨の残高を取得し、取得した残高をユーザ端末１２に通知してもよい。
【００３４】
以上のとおり、電子通貨管理システムＳでは、カード管理サーバ２と、キャリアサーバ３と、ポイント管理サーバ４とが連携することにより、カード番号とユーザＩＤとを関連付けて管理することができる。即ち、電子通貨管理システムＳは、カード識別情報とユーザ端末を用いるユーザを識別するユーザ識別情報とを関連付けて管理する。具体的には、電子通貨管理システムＳでは、ポイント管理サーバ４が、カード番号及びユーザＩＤのいずれにも関連付けられた管理番号を介して、カード番号とユーザＩＤとを関連付ける。
【００３５】
そして、電子通貨管理システムＳは、カード管理サーバ２において、プリペイドカード番号に関連付けて、プリペイドカードによる決済が可能な電子通貨の残高を管理する。キャリアサーバ３は、ユーザ端末１２からの要求に応じて、ユーザＩＤに関連付けられたプリペイドカード番号に対応する口座に貯まっている電子通貨の残高を、ポイント管理サーバ４を介してカード管理サーバ２から取得し、ユーザ端末１２に電子通貨の残高を通知することができる。このようにすることで、電子通貨管理システムＳにおいては、ユーザが、電子通貨の口座に関する情報をユーザ端末１２に入力することなく、あたかもユーザ端末１２に関連付けて電子通貨が管理されているかのような感覚で、電子通貨の残高を把握することができる。
【００３６】
また、以上の構成の電子通貨管理システムＳでは、ポイント管理サーバ４は、カード管理サーバ２において管理されるカード１１の利用状況と、キャリアサーバ３において管理されるユーザ端末１２の利用状況とを統合し、ポイントの統合を実現する。具体的には、ポイント管理サーバ４は、管理番号とユーザＩＤとを連携させることで、カード１１の利用状況とユーザ端末１２の利用状況とを統合する。
【００３７】
ポイント管理サーバ４では、統合された情報をユーザＩＤに関連付けて管理するため、ユーザＩＤをキーとして、該当するユーザのカード１１の利用状況及びユーザ端末１２の利用状況を取得することができる。
そこで、電子通貨管理システムＳでは、ユーザ端末１２を用いるユーザがユーザＩＤを指定して要求を行うと、当該ユーザがポイント管理サーバ４で管理される各種情報を把握可能にしている。具体的には、ユーザ端末１２が、ユーザＩＤを含む所定の情報をキャリアサーバ３に送信すると、キャリアサーバ３は、このユーザＩＤをキーとしてポイント管理サーバ４から関連する各種情報を取得し、ユーザ端末１２に対して提供する。なお、ポイント管理サーバ４及びキャリアサーバ３は、前回要求時に提供した情報に対する差分の情報を、ユーザ端末１２に対して提供することとしてもよい。
【００３８】
［ユーザ端末１２の表示画面例］
ここで、キャリアサーバ３から提供される各種情報に基づきユーザ端末１２に表示される表示画面の一例を図５及び図６に示す。図５（Ａ）は、上述のアプリケーション実行中に表示されるトップ画面の一例を示す表示画面２００であり、図５（Ｂ）は、クレジットカード式のカード１１の管理画面の一例を示す表示画面２１０であり、図６は、当該アプリケーション実行中に表示されるメニュー画面の一例を示す表示画面２２０である。
【００３９】
図５（Ａ）に示すように、表示画面２００は、プリペイド式のカード１１に係る管理画面であり、カード残高表示２０１と、ポイント数表示２０２と、チャージボタン２０３と、切替ボタン２０４と、メニューボタン２０５と、を含んで構成される。
カード残高表示２０１は、プリペイド式のカード１１の残高を示す表示であり、ポイント数表示２０２は、ユーザに付与されたポイント数を示す表示である。カード残高表示２０１及びポイント数表示２０２は、ユーザＩＤをキーとしてポイント管理サーバ４から取得したカード１１の残高やポイント数に基づいて表示内容が制御される。
【００４０】
チャージボタン２０３は、ユーザがカード１１に所望の金額をチャージする際に用いられる。チャージボタン２０３が操作され、ユーザが所定のチャージ操作を行うと、ユーザＩＤと管理番号とが連携して、カード管理サーバ２へチャージ要求が行われる。
切替ボタン２０４は、プリペイド式のカード１１に係る表示画面２００と、クレジットカード式のカード１１に係る表示画面２１０との切替を行う。切替ボタン２０４が操作されると、ユーザ端末１２には、図５（Ｂ）に示す表示画面２１０が表示される。切替ボタン２０４は、ユーザが、プリペイド式のカード１１と、クレジットカード式のカード１１との双方を所持している場合に表示される。
メニューボタン２０５は、キャリアサーバ３が提供する各種サービスのメニュー画面を呼び出す際に用いられる。メニューボタン２０５が操作されると、ユーザ端末１２には、図６に示す表示画面２２０が表示される。
【００４１】
図５（Ｂ）に示すように、表示画面２１０は、カードの請求予定額２１１と、利用可能額２１２と、請求確定額２１３と、切替ボタン２１４と、メニューボタン２１５と、を含んで構成される。
カードの請求予定額２１１は、クレジットカード式のカード１１の利用額のうち、未請求の利用額を示す表示である。
カードの利用可能額２１２は、クレジットカード式のカード１１の利用限度額から、未請求の利用額を減算した額を示す表示である。ユーザ端末１２のユーザは、利用可能額２１２の範囲内でクレジットカード式のカード１１を利用して商品等を購入することができる。
請求確定額２１３は、クレジットカード式のカード１１の利用額のうち、請求が確定した利用額を示す表示である。ここでは、月ごとの利用額が表示される。
【００４２】
切替ボタン２１４は、プリペイド式のカード１１に係る表示画面２００と、クレジットカード式のカード１１に係る表示画面２１０との切替を行う。切替ボタン２１４が操作されると、ユーザ端末１２には、図５（Ａ）に示す表示画面２００が表示される。切替ボタン２１４は、ユーザが、プリペイド式のカード１１と、クレジットカード式のカード１１との双方を所持している場合に表示される。
メニューボタン２１５は、キャリアサーバ３が提供する各種サービスのメニュー画面を呼び出す際に用いられる。メニューボタン２１５が操作されると、ユーザ端末１２には、図６に示す表示画面２２０が表示される。
【００４３】
図６に示すように、表示画面２２０には、ポイント用メニュー２２１と、ショッピング用メニュー２２２と、カード用メニュー２２３と、が含まれる。
ポイント用メニュー２２１は、「ポイントを利用して商品を購入する」、「ポイントを利用して特典（クーポン）を得る」等のように、ポイントの利用を促すメニューを含む。これにより、ユーザにはポイントを利用可能な様々なサービスが提供されるため、ユーザは、付与されたポイントを様々な場面で利用することができる。
【００４４】
ショッピング用メニュー２２２は、「ポイント優遇店の紹介」や、「カード１１を用いて買い物が可能な店舗を紹介する」や、「カード１１を用いて買い物が可能なショッピングモール」等のようにカード１１の利用を促すメニューを含む。カード１１が利用されると、ポイント管理サーバ４において購入額に応じたポイントが付与されることになるため、このようなメニューを提供することで、ポイント付与の機会を増大することができる。
カード用メニュー２２３は、カード１１の利用明細を確認するためのメニューを含む。このメニューを選択することで、ユーザは、カード１１の利用履歴を確認することができる。
【００４５】
［電子通貨管理システムＳの動作］
以上、電子通貨管理システムＳの構成について説明した。続いて、図７〜図１２を参照して、電子通貨管理システムＳの動作について説明する。
【００４６】
［チャージ時の動作］
まず、図７を参照して、カード１１がプリペイドカードである場合における、金額をチャージする際の動作について説明する。本実施形態の電子通貨管理システムＳでは、複数のチャージ方法の候補をユーザ端末１２に提供し、当該ユーザ端末１２において選択されたチャージ方法に基づき、ユーザ端末１２を用いるユーザを識別するユーザＩＤに対応するプリペイド方式の電子通貨の残高にチャージするチャージ手段として機能する。図７（Ａ）は、トップ画面を示す表示画面２００（図５（Ａ）参照）において、チャージボタン２０３が操作された場合に表示されるチャージメニュー画面を示す表示画面２３０である。
【００４７】
図７（Ａ）に示すように、本実施形態の電子通貨管理システムＳでは、カード１１に金額をチャージする方法として、チャージ方法２３１、チャージ方法２３２及びチャージ方法２３３を少なくとも含む。チャージ方法２３１は、付与されたポイントの少なくとも一部のポイントを用いてカード１１に金額をチャージするチャージ方法であり、ポイントを所定のレートで金銭に変換することでチャージする。また、チャージ方法２３２は、キャリア決済を用いてチャージするチャージ方法である。キャリア決済とは、ユーザ端末１２の通信料金と併せて決済することであり、このチャージ方法２３２では、チャージした金額をユーザ端末１２の請求額に加算して請求する。また、チャージ方法２３３は、カード１１とは異なるクレジットカードによるクレジットカード決済を用いてチャージするチャージ方法である。このチャージ方法２３３では、電子通貨管理システムＳが、ユーザ端末１２からクレジットカード決済を用いてチャージする指示を受け付けると、カード１１に対応する残高にチャージするとともに、当該チャージする金額に対応する利用額をクレジットカードの利用額に加算し、当該金額に対応する利用履歴をクレジットカードの利用履歴に追加する。なお、本実施形態では、チャージ方法２３１、２３２についてのみ説明するが、カード１１へのチャージ方法はこれらに限るものでなく、他の方法により実現することとしてもよい。例えば、ユーザが用いる銀行口座を予め設定しておき、この銀行口座を介してカード１１にチャージすることとしてもよい。
【００４８】
チャージ方法２３１、チャージ方法２３２及びチャージ方法２３３の動作の流れを図７（Ｂ）に示す。図７（Ｂ）に示すように、ステップＳ１１において、ユーザ端末１２は、キャリアサーバ３に対してチャージ要求を行う。このチャージ要求では、ユーザ端末１２は、キャリアサーバ３に対してユーザＩＤとともに、チャージ方法及びチャージ金額を通知する。
【００４９】
キャリアサーバ３は、チャージ要求を受けると、ステップＳ１２において、ポイント管理サーバ４に対して、ユーザ端末１２からチャージ要求を受けたことを通知する。具体的には、キャリアサーバ３は、チャージ要求を受けたユーザ端末１２を識別するユーザＩＤを用いて、ポイント管理サーバ４に対して通知を行う。
【００５０】
続く、ステップＳ１３において、ポイント管理サーバ４では、ユーザＩＤに対応する管理番号を特定し、カード管理サーバ２に対して、当該管理番号に対応するカード１１に設定されたカード番号に関連付けられた口座に対して、要求された金額をチャージするように通知する。この通知を受けると、カード管理サーバ２では、管理番号に対応するプリペイドカード番号のカード１１に設定されたカード番号に対応する口座に対して通知された金額を入金する。なお、このステップＳ１３の処理は、詳細には、ステップＳ１４Ａ，Ｂの処理が行われた後に行われることになる。
【００５１】
ステップＳ１４Ａは、チャージ方法２３１が選択された場合に実行される処理であり、ステップＳ１４Ｂは、チャージ方法２３２が選択された場合に実行される処理であり、ステップＳ１４Ｃは、チャージ方法２３３が選択された場合に実行される処理である。なお、ステップＳ１４Ｃは、ステップＳ１３の処理が行われた後に行われる。
【００５２】
ステップＳ１４Ａでは、ポイント管理サーバ４は、ユーザＩＤに関連付けられたポイントから、チャージ金額に相当するポイントを減算する。
また、ステップＳ１４Ｂでは、キャリアサーバ３は、ユーザＩＤに関連付けられている請求額にチャージ金額に相当する金額を加算し、所定のタイミングでユーザに対して請求する。
【００５３】
また、ステップＳ１４Ｃでは、カード管理サーバ２は、管理番号に関連付けられているクレジットカード番号に対応する利用額に対してチャージ金額を加算するとともに、当該クレジットカード番号に対応する利用履歴に、当該チャージ金額に対応する利用履歴を追加する。
【００５４】
なお、キャリア決済では、通信キャリアとの契約内容に応じて決済可能枠が設定される場合がある。一例として、通信キャリアが提供するサービスへの加入月数に応じて決済可能枠が設定される場合があり、例えば、加入月数「１２ヶ月」のユーザに対しては決済可能枠「５０００円」、加入月数「３６ヶ月」のユーザに対しては決済可能枠「１万円」が設定される。このような場合には、ステップＳ１４Ｂの処理において、キャリアサーバ３は、当月のチャージ金額の合計が、決済可能枠内であるか否かを判定し、決済可能枠内である場合に限り、キャリア決済を可能にしてもよい。
【００５５】
［商品購入時の動作］
続いて、図８を参照して、カード１１を用いて商品を購入する際の動作について説明する。なお、カード１１は、現実の店舗やインターネット上の仮想店舗で用いることができる。
現実の店舗で商品を購入する場合、ステップＳ２１Ａに示すように、カードリーダーを介してカード１１を読み取ることで、国際ブランドが提供する決済ＮＷ５０にカード１１のカード番号及び商品購入に関する情報が通知される。なお、商品購入に関する情報とは、例えば、購入額、購入した商品、購入した店舗等の情報である。また、ステップＳ２１Ｂに示すように、仮想店舗で商品を購入する場合、仮想店舗を介してユーザ端末１２から決済ＮＷ５０にカード１１のカード番号及び商品購入に関する情報が通知される。
【００５６】
決済ＮＷ５０において所定の決済処理が行われる際には、ステップＳ２２において、決済ＮＷ５０からカード管理サーバ２に対してカード番号及び商品購入に関する情報が通知される。カード管理サーバ２は、図３（Ａ）及び図３（Ｂ）に示すように、クレジットカード番号、及びプリペイドカード番号のそれぞれに関連付けて各種情報を管理しており、複数のカード番号に含まれる一のカード番号と、商品又はサービスを購入した際の購入金額を示す金額情報とを受信すると、受信したカード番号に関連する決済方式に対応する利用履歴に、当該購入金額に対応する利用履歴を追加する。
【００５７】
例えば、カード管理サーバ２は、ステップＳ２３Ａにおいて、プリペイドカード番号を受信すると、図３（Ａ）に示すように当該プリペイドカード番号に関連付けられている残高から購入金額を減算するとともに、利用履歴を追加する。また、カード管理サーバ２は、ステップＳ２３Ｂにおいて、クレジットカード番号を受信すると、図３（Ｂ）に示すように当該クレジットカードに関連付けられている利用額に購入金額を加算するとともに、利用履歴を追加する。続いて、ステップＳ２４において、カード管理サーバ２は、受信したカード番号に対応する管理番号を特定する。
【００５８】
続いて、ステップＳ２５において、カード管理サーバ２は、ポイント管理サーバ４に対して、カード番号に対応する管理番号とともに商品購入に関する情報を通知する。ポイント管理サーバ４では、取得した商品購入に関する情報に基づいて、管理番号に対応するユーザＩＤに関連付けられたポイントを更新する。
【００５９】
［ポイント付与時の動作］
続いて、図９を参照して、ユーザに対してポイントを付与する際の動作について説明する。上述したように、本実施形態の電子通貨管理システムＳでは、カード１１を用いた商品の購入に応じてポイントを付与するとともに、ユーザ端末１２の利用に応じてもポイントを付与する。
【００６０】
商品の購入に応じてポイントを付与する場合、ステップＳ３１において、ポイント管理サーバ４は、カード管理サーバ２から管理番号とともに商品購入に関する情報を取得する。すると、ステップＳ３２において、ポイント管理サーバ４は、商品を購入した店舗に応じたレートを特定し、当該レートに基づいて購入額に応じたポイントを算出する。なお、このステップＳ３１、ステップＳ３２の処理は、ユーザがカード１１を用いて商品を購入する度に行われる。
購入額に応じたポイントを算出すると、ステップＳ３５において、ポイント管理サーバ４は、管理番号に対応するユーザＩＤに関連付けて記憶しているポイントに、算出したポイントを加算する。
【００６１】
また、ステップＳ３３において、ポイント管理サーバ４は、キャリアサーバ３からユーザＩＤとともに請求額を取得する。すると、ステップＳ３４において、ポイント管理サーバ４は、予め定められたレートに基づいて請求額に応じたポイントを算出する。なお、このステップＳ３３、ステップＳ３４の処理は、請求額が確定したタイミングで行われる。
請求額に応じたポイントを算出すると、ステップＳ３５において、ポイント管理サーバ４は、ユーザＩＤに関連付けて記憶しているポイントに、算出したポイントを加算する。
【００６２】
［ユーザに対してサービスを提供する際の動作］
続いて、図１０を参照して、電子通貨管理システムＳを利用するユーザに対して当該ユーザ固有のサービスを提供する際の動作について説明する。
【００６３】
ステップＳ４１において、ユーザ端末１２は、ユーザＩＤを伴いキャリアサーバ３にアクセスすると、ステップＳ４２において、キャリアサーバ３は、ユーザＩＤをポイント管理サーバ４に対して通知する。ステップＳ４３において、ポイント管理サーバ４は、通知されたユーザＩＤに応じたサービスに関する情報を取得し、キャリアサーバ３に通知し、ステップＳ４４において、キャリアサーバ３からユーザ端末１２に対して当該サービスが提供される。
なお、ポイント管理サーバ４ではユーザＩＤ毎にアクセス履歴を管理しており、このアクセス履歴に基づいて、前回アクセス時からの差分情報（利用金額、チャージ金額、ポイントの増減）と、現在の残高及び現在のポイント数とを取得する。そして、取得した情報がキャリアサーバ３を介してユーザ端末１２に提供されることで、ユーザ端末１２において前回との差分や現在の残高及びポイント数等が表示されることになる。
【００６４】
なお、ユーザＩＤに応じたサービスとは、例えば、当該ユーザが所有するカード１１の残高や付与されたポイントを確認可能にするサービスであり、また、ユーザの属性に合った商品を紹介（レコメンド）するサービス等である。
一例として、ポイント管理サーバ４は、ユーザＩＤに関連付けられた残高やポイントに基づいて、当該残高又はポイントで購入可能な商品、当該残高又はポイントでは足りないもののあと少し追加することで購入可能な商品等を紹介するサービスを提供する。また、ポイント管理サーバ４は、ユーザＩＤに関連付けられたユーザの属性（性別、年齢、生年月日、趣味嗜好）等に基づいて、当該ユーザが好む商品を紹介するサービスを提供する。このようなサービスについても、前回アクセス時から更新があったものを提供することができる。
【００６５】
また、ポイント管理サーバ４は、ユーザ端末１２を用いたサービスの提供者との契約が解除された場合に、ポイントを使用できない状態に変更してもよい。例えば、通信キャリアが、ユーザ端末１２を用いた通信サービスを提供し、通信料金に応じたポイントをユーザ端末１２のユーザに付与しているとする。この場合において、ポイント管理サーバ４は、ユーザ端末１２のユーザが通信キャリアとの契約を解除した旨の情報をキャリアサーバ３から取得すると、ユーザ端末１２に関連付けて記憶しているポイントを削除する。ポイント管理サーバ４は、ユーザ端末１２のユーザが通信キャリアとの契約を解除した旨の情報を取得すると、ポイントを使用できない旨を示すフラグを付加した状態でポイント残高を記憶してもよい。ポイント管理サーバ４は、ユーザが通信キャリアとの契約を、契約を解除してから所定期間以内に再開したという通知をキャリアサーバ３から受けた場合に、上記のフラグを変更することにより、ポイントを使用できるようにしてもよい。
【００６６】
［商品の決済］
本実施形態において、キャリアサーバ３は、ユーザ端末１２のユーザに購入可能な商品を示すショッピングページの画面を表示させ、当該ユーザによって選択された商品の決済を行う決済管理装置として機能する。
【００６７】
具体的には、キャリアサーバ３は、所定の決済手段としてのプリペイド式のカード１１による決済を可能とする第１ログイン情報として、ユーザＩＤ及び当該ユーザＩＤに対応するパスワードを受信すると、第１画面として、図５（Ａ）に示す表示画面２００をユーザ端末１２に表示させ、その後、メニューボタン２０５の操作に応じて図６に示す表示画面２２０をユーザ端末１２に表示させる。
【００６８】
図６に示す表示画面２２０のショッピング用メニュー２２２には、キャリアサーバ３が提供し、ユーザがプリペイド式のカード１１、クレジットカード式のカード１１、又はポイントを用いて買い物が可能なショッピングページへのリンクが含まれている。キャリアサーバ３は、ユーザ端末１２において当該リンクが選択されると、ショッピングページに係る表示画面（第２画面）をユーザ端末１２に表示させる。このショッピングページは、ユーザ端末１２において第１ログイン情報を用いてログインしなくても表示可能なページであり、図５（Ａ）に示す表示画面２００及び図６に示す表示画面２２０を介さずに遷移可能なページである。
【００６９】
キャリアサーバ３は、図５（Ａ）に示す表示画面２００を介することなくショッピングページの表示画面が表示された状態で商品が選択された場合に、決済用の第２ログイン情報を取得したことを条件として、当該商品の決済を可能にすると判定する。ここで、第２ログイン情報は、第１ログイン情報と同じユーザＩＤ及びパスワードであることとするが、これに限らず、当該ユーザＩＤ及びパスワードとは異なるＩＤ及びパスワードであってもよい。
【００７０】
また、キャリアサーバ３は、図５（Ａ）に示す表示画面２００を介してショッピングページの表示画面が表示された状態で商品が選択された場合に、第２ログイン情報を取得することなくプリペイド式のカード１１による決済を可能にすると判定する。
【００７１】
このようにすることで、図５（Ａ）に示す表示画面２００からショッピングページの表示画面に遷移して商品を購入するユーザは、ショッピングページにおいて再びログインすることなく、商品購入を円滑に行うことができる。
以下に、キャリアサーバ３が備える決済管理に係る機能について詳細に説明する。なお、以下の説明において、図５（Ａ）に示す表示画面２００を第１画面といい、ショッピングページに係る表示画面を第２画面という。
【００７２】
［キャリアサーバ３の構成］
図１１は、本実施形態に係るキャリアサーバ３の構成を示す図である。キャリアサーバ３は、記憶部３１と、制御部３２とを備える。
記憶部３１は、ＲＯＭ及びＲＡＭ等のメモリ、又はハードディスク等の記憶媒体である。記憶部３１は、制御部３２を動作させるためのプログラム、及び制御部３２が動作する際に生成されるデータを記憶する。また、記憶部３１は、ユーザ端末１２のユーザに対応するユーザＩＤと、当該ユーザＩＤに対応するパスワードとを関連付けて認証情報として記憶する。また、記憶部３１は、ショッピングページにおいて販売される商品に係る商品情報として、例えば、商品名称、価格、商品が属するカテゴリ等の各種情報を記憶する。
【００７３】
制御部３２は、例えばＣＰＵであり、記憶部３１に記憶されたプログラムを実行することにより、第１表示制御部３２１、第２表示制御部３２２、判定部３２３、及び決済部３２４として機能する。
【００７４】
［第１画面の表示］
第１表示制御部３２１は、プリペイド式のカード１１による決済を可能とする第１ログイン情報を取得したことに応じて、第１画面をユーザ端末１２に表示させる。具体的には、第１表示制御部３２１は、第１ログイン情報をユーザ端末１２から取得したことに応じて、当該ユーザ端末１２のユーザの認証を行う。第１表示制御部３２１は、認証に成功すると、ポイント管理サーバ４から、カード１１の残高やポイント数を取得し、図５（Ａ）に示す、プリペイド式のカード１１の残高と、商品の決済に使用可能なポイントの残高とが表示された表示画面２００を第１画面としてユーザ端末１２に表示させる。その後、第１表示制御部３２１は、ユーザ端末１２において、表示画面２００においてメニューボタン２０５を選択する操作を受け付けたことに応じて、図６に示す表示画面２２０をユーザ端末１２に表示させる。
【００７５】
ここで、制御部３２は、第１ログイン情報による認証に成功したことに応じて、例えば、第１ログイン情報に含まれるユーザＩＤをハッシュ化して生成したハッシュ値を記憶部３１に記憶させるとともにユーザ端末１２に記憶させる。その後、制御部３２は、ユーザ端末１２からアクセスされる際に、ユーザ端末１２からハッシュ値を受信する。制御部３２は、当該ハッシュ値が記憶部３１に記憶されている場合に、ユーザ端末１２の状態を、第１ログイン情報によってログインされた状態に保持する。なお、以下の説明では、第１ログイン情報によってログインされた状態をログイン状態という。
【００７６】
［第２画面の表示］
第２表示制御部３２２は、購入可能な商品を選択するための第２画面をユーザ端末１２に表示させる。具体的には、第２表示制御部３２２は、ユーザ端末１２において図６に示す表示画面２２０に含まれるショッピングページへのリンクが選択されると、記憶部３１に記憶されている商品情報に基づいてショッピングページを生成する。第２表示制御部３２２は、生成したショッピングページをユーザ端末１２に送信することにより、第２画面をユーザ端末１２に表示させる。
【００７７】
また、第２表示制御部３２２は、例えば、キャリアサーバ３の事業者が提供するページや、検索サイトにおける検索結果に含まれるショッピングページのリンクがユーザ端末１２において選択されたことに応じて、ショッピングページを生成し、第２画面をユーザ端末１２に表示させる。
【００７８】
ここで、第２表示制御部３２２は、第１画面を介して第２画面が表示される場合には、当該第１画面に示されるプリペイド式のカード１１の残高に基づいて、当該残高以下の価格の商品を選択し、当該選択した商品を第２画面に表示させる。
【００７９】
なお、第２表示制御部３２２は、第１画面を介して第２画面が表示される場合には、ポイントの残高に基づいて、当該残高に対応する決済可能額以下の価格の商品を選択し、当該選択した商品を第２画面に表示させてもよい。また、第２表示制御部３２２は、ポイントの残高に対応する決済可能額と、プリペイド式のカード１１の残高（決済可能額）との合算値に基づいて、当該合算値以下の価格の商品を選択し、当該選択した商品を第２画面に表示させてもよい。
【００８０】
また、上述の説明では図５（Ａ）に示す表示画面２００を第１画面としたが、図５（Ｂ）に示すクレジットカード式のカード１１の利用可能額が表示された表示画面２１０を第１画面としてもよい。そして、第２表示制御部３２２は、表示画面２１０を介して第２画面が表示される場合には、当該表示画面２１０に示されるクレジットカード式のカード１１の利用可能額に基づいて、当該利用可能額以下の価格の商品を選択し、当該選択した商品を第２画面に表示させてもよい。
【００８１】
また、上述の説明では図５（Ａ）に示す表示画面２００を第１画面としたが、図５（Ａ）に示す表示画面２００と、図５（Ｂ）に示す表示画面２１０とを第１画面としてもよい。そして、第２表示制御部３２２は、表示画面２００及び表示画面２１０を介して第２画面が表示される場合には、ポイントの残高に対応する決済可能額と、プリペイド式のカード１１の残高と、クレジットカード式のカード１１の利用可能額とのうち、少なくとも２つの合算値に基づいて選択した商品を第２画面に表示させてもよい。
【００８２】
このようにすることで、ユーザ端末１２のユーザは、プリペイド式のカード１１、クレジットカード式のカード１１、又はポイントの残高によって購入可能な商品から、ユーザが購入したい商品を選択することができる。
【００８３】
また、第２表示制御部３２２は、図３に示すプリペイド式のカード１１及びクレジットカード式の利用履歴、並びに図４に示すポイントの明細情報に含まれるポイントの利用履歴に基づいて、ユーザ端末１２のユーザが使用する傾向が高い決済手段を特定し、特定した決済手段に対応する使用状況に基づいて選択した商品を第２画面に表示させてもよい。例えば、第２表示制御部３２２は、利用回数が最も多い決済手段に対応する決済可能額に基づいて商品を選択してもよい。
このようにすることで、ユーザ端末１２のユーザがショッピングページにおいて商品を選択する可能性が高くなるため、キャリアサーバ３は、ショッピングページの利用率を向上させることができる。
【００８４】
第１画面を介して第２画面がユーザ端末１２に表示された場合、第２画面における商品の決済は、例えば、プリペイド式のカード１１により行われる。ここで、第２表示制御部３２２は、第１画面を介して第２画面が表示された状態で商品の決済に使用する決済手段の選択を受け付けてもよい。第２表示制御部３２２は、プリペイド式のカード１１とは異なる決済手段（ポイント、クレジットカード式のカード１１）が選択されたことに応じて第２ログイン情報の取得を受け付けてもよい。
このようにすることで、キャリアサーバ３は、決済手段の変更時にユーザ端末１２のユーザが正当なユーザであるか否かを判定することができる。
【００８５】
［決済画面の表示］
第２表示制御部３２２は、第２画面において、ユーザ端末１２から商品の選択及び購入手続を受け付けると、決済処理を行うための決済画面をユーザ端末１２に表示させる。
判定部３２３は、第１画面を介することなく第２画面がユーザ端末１２に表示された状態で商品が選択された場合に、決済用の第２ログイン情報を取得したことを条件として当該商品の決済を可能にすると判定し、第１画面を介して第２画面が表示された状態で商品が選択された場合に、第２ログイン情報を取得することなく、プリペイド式のカード１１での商品の決済を可能にする。
【００８６】
具体的には、判定部３２３は、第２表示制御部３２２が決済画面をユーザ端末１２に表示させる際に、ユーザ端末１２においてログイン状態が保持されているか否かを判定することで、第２画面が第１画面を介して表示されているか否かを判定する。判定部３２３は、ログイン状態が保持されていない場合には、第１画面を介することなく第２画面が表示されていると判定し、ログイン状態が保持されている場合には、第１画面を介して第２画面が表示されていると判定する。
【００８７】
判定部３２３は、第１画面を介することなく第２画面が表示されていると判定すると、第２ログイン情報を受け付けるログイン画面をユーザ端末１２に表示させ、ユーザＩＤとパスワードとを第２ログイン情報として受け付ける。判定部３２３は、第２ログイン情報を受け付けると、記憶部３１に記憶されている認証情報に基づいて認証を行い、認証に成功した場合に商品の決済を可能にする。
【００８８】
ここで、判定部３２３は、第１画面を介することなく第２画面が表示された状態で商品が選択された場合に、プリペイド式のカード１１を含む複数の決済手段から一の決済手段の選択を受け付け、一の決済手段が選択されたことに応じて第２ログイン情報を取得してもよい。
【００８９】
また、判定部３２３は、ログイン状態が保持されていると判定すると、第２ログイン情報を取得することなく、プリペイド式のカード１１での商品の決済を可能にする。ここで、制御部３２は、第１画面から第２画面に表示が切り替わった時刻と、当該時刻前に第１画面において最後に操作が行われた時刻とに基づいて、第１画面において操作されていなかった時間（第１操作間隔）を測定する。また、制御部３２は、第２画面におけるユーザの操作間隔を測定し、複数の操作間隔のうち最長となる操作間隔（第２操作間隔）を測定する。そして、判定部３２３は、第１画面を介して第２画面が表示された状態で商品が選択された場合に、第１操作間隔及び第２操作間隔に基づいて、所定時間以上にわたって第１画面又は第２画面における操作が行われていないと判定したときには、第２ログイン情報を取得したことを条件として商品の決済を可能にすると判定してもよい。このようにすることで、キャリアサーバ３は、ユーザ端末１２が放置された場合に、他人が商品を購入することを防ぐことができる。
【００９０】
［決済処理］
決済部３２４は、判定部３２３が商品の決済が可能と判定したことに応じて、決済処理を行う。具体的には、決済部３２４は、第１画面を介して第２画面が表示された状態で、決済手段の変更が行われることなく商品が選択された場合には、プリペイド式のカード１１を用いて商品の決済を行う。
【００９１】
また、決済部３２４は、第１画面を介さないで第２画面が表示された状態で商品が選択された場合において、ユーザによって決済手段が選択されていないときには、プリペイド式のカード１１を用いて商品の決済を行う。また、決済部３２４は、第１画面を介さないで第２画面が表示された状態で商品が選択された場合において、ユーザによって決済手段が選択されているときには、選択された決済手段によって商品の決済を行う。
【００９２】
決済部３２４は、プリペイド式のカード１１又はクレジットカード式のカード１１を使用して決済を行う場合、ユーザＩＤに基づいて、ポイント管理サーバ４からプリペイド式のカード１１のカード番号又はクレジットカード式のカード１１のカード番号を取得する。そして、決済部３２４は、当該カード番号及び商品購入に関する情報を決済ＮＷ５０に通知する。また、決済部３２４は、ポイントを使用して決済を行う場合、ユーザＩＤに関連付けて、ポイント管理サーバ４に記憶されているポイントから、商品の購入額に対応するポイントを減算することにより決済を行う。
【００９３】
［商品の決済に係るフローチャート］
続いて、キャリアサーバ３が第２画面において商品の決済を行う際の処理の流れについて説明する。図１２は、本実施形態に係るキャリアサーバ３が商品の決済を行う際のフローチャートである。
【００９４】
まず、Ｓ５１において、第２表示制御部３２２は、ショッピングページを示す第２画面をユーザ端末１２に表示させる。ここで、第２画面は、第１画面を介して表示される場合と、第１画面を介さずに表示される場合とがある。
続いて、Ｓ５２において、第２表示制御部３２２は、第２画面において商品が選択され、購入手続が開始されたか否かを判定する。第２表示制御部３２２は、購入手続が開始されたと判定すると、Ｓ５３に処理を移し、購入手続が開始されていないと判定すると、Ｓ５２を再実行する。
【００９５】
続いて、Ｓ５３において、判定部３２３は、第１画面を介して第２画面が表示されたか否かを判定する。判定部３２３は、第１画面を介して第２画面が表示されたと判定すると、Ｓ５４に処理を移し、第１画面を介さずに第２画面が表示されたと判定すると、Ｓ５５に処理を移す。
続いて、Ｓ５４において、判定部３２３は、所定時間以上にわたって第１画面又は第２画面における操作が行われていない期間が存在するか否かを判定する。判定部３２３は、当該期間が存在すると判定すると、Ｓ５５に処理を移し、当該期間が存在しないと判定すると、Ｓ５６に処理を移す。
【００９６】
続いて、Ｓ５５において、判定部３２３は、第２ログイン情報を受け付けるログイン画面をユーザ端末１２に表示させ、ユーザ端末１２から第２ログイン情報を受け付ける。ここでは、正しい第２ログイン情報が受け付けられ、認証に成功したものとする。
続いて、Ｓ５６において、決済部３２４は、選択された商品の決済を行う。
【００９７】
［本実施形態における効果］
以上のとおり、本実施形態に係る電子通貨管理システムＳでは、ユーザ端末１２において第１画面を介することなく第２画面が表示された状態で商品が選択された場合に、決済用の第２ログイン情報を取得したことを条件として商品の決済を可能にすると判定し、第１画面を介して第２画面が表示された状態で商品が選択された場合に、第２ログイン情報を取得することなくプリペイド式のカード１１での商品の決済を可能にすると判定する。このようにすることで、第１画面から第２画面に遷移して商品を購入するユーザは、第２画面において再びログインすることなく、商品購入を円滑に行うことができる。
【００９８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９９】
Ｓ・・・電子通貨管理システム、１・・・ユーザ機器、１１・・・カード、１２・・・ユーザ端末、１０・・・電子通貨管理装置、２・・・カード管理サーバ、３・・・キャリアサーバ、３１・・・記憶部、３２・・・制御部、３２１・・・第１表示制御部、３２２・・・第２表示制御部、３２３・・・判定部、３２４・・・決済部、４・・・ポイント管理サーバ、５０・・・決済ＮＷ
【図１】
0006473358.tif 000002
【図２】
0006473358.tif 000003
【図３】
0006473358.tif 000004
【図４】
0006473358.tif 000005
【図５】
0006473358.tif 000006
【図６】
0006473358.tif 000007
【図７】
0006473358.tif 000008
【図８】
0006473358.tif 000009
【図９】
0006473358.tif 000010
【図１０】
0006473358.tif 000011
【図１１】
0006473358.tif 000012
【図１２】
0006473358.tif 000013